(57)【要約】【課題】ネットオークションで落札された競売品を売り手から買い手に容易にかつ安価に届けることが可能な競売品配達方法及びダンボール箱受注用中央処理装置を提供する。【解決手段】ネットワーク上の競売に出品される１以上の競売品９を包装する、該競売品のサイズに応じたサイズのダンボール箱８を該競売のサイト２を通じて受注するステップと、前記受注したダンボール箱８を前記競売品の売り手３に、少なくとも発送元として該売り手の所要の事項が記載された送り状と共に配送するステップとを有するものである。【選択図】　　　図１
2004013212.tif 000002
【特許請求の範囲】
【請求項１】
ネットワーク上の競売に出品される１以上の競売品を包装する、該競売品のサイズに応じたサイズのダンボール箱を該競売のサイトを通じて受注するステップと、
前記受注したダンボール箱を前記競売品の売り手に、少なくとも発送元として該売り手の所要の事項が記載された送り状と共に配送するステップとを有する競売品配達方法。
【請求項２】
前記ダンボール箱を前記売り手へ無料で配送する請求項１記載の包装用ダンボール箱配送方法。
【請求項３】
前記送り状が、前記競売品の買い手への配送料を割り引く旨の表示を伴っている、請求項１記載の包装用ダンボール箱配送方法。
【請求項４】
ネットワーク上の競売に出品される１以上の競売品を包装する、該競売品のサイズに応じたサイズのダンボール箱を受注するステップと、
前記受注したダンボール箱を前記競売品の売り手に、少なくとも発送元として該売り手の所要の事項が記載された送り状と共に配送するステップとを有する競売品配達方法。
【請求項５】
複数のユーザ用の端末と、ネットオークションを遂行するためのネットオークション用中央処理装置と、ダンボール箱製造業者用の端末と、宅配業者用の端末とが接続されたデータ通信可能なネットワークに接続されたダンボール箱受注用中央処理装置であって、
あるユーザ用の端末から、前記ネットオークション用中央処理装置によって遂行されるネットオークションに出品される１以上の競売品を包装する、該競売品のサイズに応じたサイズのダンボール箱を該ネットオークションのサイトを通じて受注し、
前記受注したダンボール箱を用意するよう前記ダンボール箱製造業者用の端末に指示するとともに前記受注したダンボール箱を注文主に配達するよう前記宅配業者用の端末に指示する、ダンボール箱受注用中央処理装置。
【発明の詳細な説明】
【０００１】
【発明の属する技術分野】
本発明は、競売品配達方法及びダンボール箱受注用中央処理装置に関し、特にネットオークションの競売品の配達方法及びダンボール箱受注用中央処理装置に関する。
【０００２】
【従来の技術】
近年、インターネットを利用したビジネスの一つとして、いわゆるネットオークションが盛んになって来ている。
【０００３】
【発明が解決しようとする課題】
このネットオークションでは、通常のオークションのように競売品がオークションの会場に運ばれることはなく、競売品は売り手の手元に置かれたままオークションが行われる。そして、競売品が落札されると出品者（以下、売り手という）が落札者（以下、買い手という）に競売品を届ける。この場合、競売品は、一般に、ダンボール箱で包装され、宅配業者を利用して買い手に届けられる。
【０００４】
しかし、ダンボール箱は、少品種大量生産の商品であり、それによって廉価になっている。また、ダンボール箱は大口需要者向けに販売され、一般の需要者（一般の消費者）向けには販売ルートがほとんど存在しない。従って、競売品の売り手は、競売品の大きさに合ったサイズのダンボール箱を入手するのが困難で、困っているのが実情であった。
【０００５】
本発明は、上記のような課題を解決するためになされたもので、ネットオークションで落札された競売品を売り手から買い手に容易に届けることが可能な競売品配達方法及びダンボール箱受注用中央処理装置を提供することを目的としている。
【０００６】
【課題を解決するための手段】
上記課題を解決するために、本発明に係る競売品配達方法は、ネットワーク上の競売に出品される１以上の競売品を包装する、該競売品のサイズに応じたサイズのダンボール箱を該競売のサイトを通じて受注するステップと、前記受注したダンボール箱を前記競売品の売り手に、少なくとも発送元として該売り手の所要の事項が記載された送り状と共に配送するステップとを有する（請求項１）。かかる構成とすると、一人の売り手から買い手に送付する競売品の荷物は一般に複数である一方その包装用のダンボール箱の荷物はそれより少ない数にまとめることが可能であるので、競売品の荷物を獲得することを前提に売り手へのダンボール箱の配送を割安で提供することが可能になる。そして、この競売品の荷物の獲得の可能性が、発送元として売り手の所要の事項が記載された送り状がダンボール箱に添付されていることによって高くなる。その結果、売り手は競売品のサイズに応じたサイズのダンボール箱を宅配によって入手することが可能になり、それにより、競売品を買い手に容易に届けることが可能になる。また、ネットオークションサイトを介してダンボール箱を受注するので、一般客を排除するとともに効率よくダンボール箱を受注することができる。
【０００７】
前記ダンボール箱は、前記売り手へ無料で配送してもよい（請求項２）。かかる構成とすると、売り手が安価にダンボール箱を入手することができる。
【０００８】
また、前記送り状が、前記競売品の買い手への配送料を割り引く旨の表示を伴っていてもよい（請求項３）。かかる構成とすると、競売品の買い手への配送を請け負う確立が高くなるとともに、競売品の配送が安価になる。
【０００９】
また、本発明に係る競売品配達方法は、ネットワーク上の競売に出品される１以上の競売品を包装する、該競売品のサイズに応じたサイズのダンボール箱を受注するステップと、前記受注したダンボール箱を前記競売品の売り手に、少なくとも発送元として該売り手の所要の事項が記載された送り状と共に配送するステップとを有する（請求項４）。かかる構成とすると、一人の売り手から買い手に送付する競売品の荷物は一般に複数である一方その包装用のダンボール箱の荷物はそれより少ない数にまとめることが可能であるので、競売品の荷物を獲得することを前提に売り手へのダンボール箱の配送を割安で提供することが可能になる。そして、この競売品の荷物の獲得の可能性が、発送元として売り手の所要の事項が記載された送り状がダンボール箱に添付されていることによって高くなる。その結果、売り手は競売品のサイズに応じたサイズのダンボール箱を宅配によって入手することが可能になり、それにより、競売品を買い手に容易に届けることが可能になる。
【００１０】
また、本発明に係るダンボール箱受注用中央処理装置は、複数のユーザ用の端末と、ネットオークションを遂行するためのネットオークション用中央処理装置と、ダンボール箱製造業者用の端末と、宅配業者用の端末とが接続されたデータ通信可能なネットワークに接続されたダンボール箱受注用中央処理装置であって、あるユーザ用の端末から、前記ネットオークション用中央処理装置によって遂行されるネットオークションに出品される１以上の競売品を包装する、該競売品のサイズに応じたサイズのダンボール箱を該ネットオークションのサイトを通じて受注し、前記受注したダンボール箱を用意するよう前記ダンボール箱製造業者用の端末に指示するとともに前記受注したダンボール箱を注文主に配達するよう前記宅配業者用の端末に指示する（請求項５）。かかる構成とすると、売り手から買い手に送付する競売品の荷物が一般に複数であるのに対し、その包装用のダンボール箱の荷物の数をそれにより少なくすることが可能であることから、売り手が競売品のサイズに応じたサイズのダンボール箱を宅配によって入手することが可能になり、その結果、競売品を買い手に容易に届けることが可能になる。
【００１１】
【発明の実施の形態】
以下、本発明の実施の形態を図面を参照しながら説明する。
実施の形態１
図１は本発明の実施の形態１に係る競売品配達方法を示す模式図である。
【００１２】
図１に示すように、この競売品配達方法１は、ネットオークションサイト２を運営するネットオークション主催者、この競売品配達方法の全体的な運営を管理するシステム管理センタ５、ダンボール箱を製造するダンボール箱業者６、及び一般需要者間の荷物を配達する宅配業者７の４つの主体によって遂行される。
【００１３】
次に、この競売品配達方法１における具体的な業務の流れを説明する。
【００１４】
ネットオークション主催者は、ネットワーク上でサイト２を立ち上げてネットオークションを運営する。このネットオークションには不特定の売り手３が、ネットオークションサイト２にアクセスして競売品を出品し、この競売品を不特定の買い手４がネットオークションサイト２にアクセスして落札する。そして、前記ネットオークションサイト２からは、競売品を包装するダンボール箱を希望する売り手３が、システム管理センタ５のダンボール箱注文サイトにアクセスできるようになっている。そして、売り手３がダンボール箱を注文すると、システム管理センタ５は、この受注したダンボール箱を用意するようダンボール箱業者６に指示する。ダンボール箱業者６は指示されたダンボール箱を用意し、荷造りする。また、システム管理センタ５は、受注したダンボール箱を注文主である売り手３に配達するよう宅配業者７に指示する。この指示を受けて、宅配業者７は、荷造りされたダンボール箱８に、所定の事項が記載された自己の送り状を添付し、この送り状が添付されたダンボール箱８を無料でダンボール箱業者６から売り手３に配達する。売り手３は、配達されたダンボール箱８で競売品を包装して荷造りし、気に入れば宅配業者７に買い手４への配達を依頼する。この配達依頼は、ダンボール箱８に添付されていた送り状を使用して行う。この依頼を受けて、宅配業者７は、競売品９を売り手３から買い手４に配達する。また、ダンボール業者６及び宅配業者７は、システム管理センタ５の後述する中央処理装置にアクセスしてダンボール箱８の受注状況をモニタし、それによりシステム管理センタ５からの指示に迅速に対処する。
【００１５】
次に、以上に説明した競売品配達方法を実施するためのシステムを説明する。
【００１６】
図２は図１の競売品配達方法の一部のステップを実施するための競売品配達システムの構成を示す模式図、図３は図２の中央処理装置及び端末の構成を示すブロック図である。
【００１７】
図１及び図２において、ネットオークション主催者は中央処理装置Ｈ１を有している。また、システム管理センタ５は中央処理装置（ダンボール箱受注用中央処理装置）Ｈ２を有している。さらに、ユーザ（売り手３及び買い手４）、ダンボール箱業者６、及び宅配業者７は、それぞれ、Ａ端末Ｔａ１〜Ｔａｎ、Ｂ端末Ｔｂ１〜Ｔｂｎ、及びＣ端末Ｔｃ１〜Ｔｃｎを有している。そして、中央処理装置Ｈ１，Ｈ２、Ａ端末Ｔａ１〜Ｔａｎ、Ｂ端末Ｔｂ１〜Ｔｂｎ、及びＣ端末Ｔｃ１〜Ｔｃｎがデータ通信可能なネットワーク１０を介して互いに接続されている。ネットワーク１０の具体例として、インターネット、ＣＡＴＶ網、パソコン通信網等が挙げられる。このようにして、競売品配達システム１００が構成されている。
【００１８】
図３は図２の中央処理装置及び端末の構成の概要を示すブロック図である。図３に示すように、中央処理装置Ｈ１，Ｈ２、Ａ端末Ｔａ１〜Ｔａｎ、Ｂ端末Ｔｂ１〜Ｔｂｎ、及びＣ端末Ｔｃ１〜Ｔｃｎはコンピュータで構成される。コンピュータの構成は周知であるので、ここでは概略の説明に止める。中央処理装置Ｈ１，Ｈ２、Ａ端末Ｔａ１〜Ｔａｎ、Ｂ端末Ｔｂ１〜Ｔｂｎ、及びＣ端末Ｔｃ１〜Ｔｃｎは、ＣＰＵ等の演算処理装置１０４、メモリ１０５、入力装置１０８、出力装置１０９、ＨＤＤ（ハードディスクドライブ）１１０、及び外部記憶装置１１１がバス１１２に接続されて構成されている。メモリ１０５は、例えばＲＯＭ１０６とＲＡＭ１０７とで構成され、ＲＯＭ１０６にはコンピュータ自体を動作させる基本プログラムが格納されている。ＲＡＭ１０７には演算処理装置４で処理されるあるいは処理されたデータが一時的に格納される。ＨＤＤ１１０には、データファイルや応用ソフトウエアが格納される。外部記憶装置１１１にはハードディスク、フレキシブルディスク等の情報記録媒体が装着され、演算処理装置１０４によってそれらにデータが読み書きされる。入力装置１０８はキーボード、マウス等によって構成される。出力装置１０９はディスプレイ、プリンタ、スピーカ等によって構成される。
【００１９】
中央処理装置Ｈ１においては、ＨＤＤ１１０に、図４（ａ）に示すネットオークションお楽しみサイトの表示を含むネットオークションを実行するプログラムが格納されており、それにより、ネットオークション用中央処理装置として機能する。また、中央処理装置Ｈ２においては、ＨＤＤ１１０に、図４（ｂ）及び図５に示すダンボール箱受注を実行するプログラムと、インターネット上の通信プロトコルＴＣＰ／ＩＰのプログラムとが格納されており、それにより、システム管理用中央処理装置として機能する。また、Ａ端末Ｔａ１〜Ｔａｎにおいては、ＨＤＤ１１０に、中央処理装置Ｈ１，Ｈ２にアクセスするためのソフトウエア（周知のブラウザで構成される）が格納されており、それにより、ユーザ用の端末として機能する。また、Ｂ端末Ｔｂ１〜Ｔｂｎ及びＣ端末Ｔｃ１〜Ｔｃｎにおいては、ＨＤＤ１１０に、前記ＴＣＰ／ＩＰのプログラムが格納されており、それにより、それぞれ、ダンボール箱業者用及び宅配業者用の端末として機能する。また、中央処理装置Ｈ１，Ｈ２、Ａ端末Ｔａ１〜Ｔａｎ、Ｂ端末Ｔｂ１〜Ｔｂｎ、及びＣ端末Ｔｃ１〜Ｔｃｎは、図２のネットワーク１０の形態に応じてモデム等の信号変換装置１０３を介して該ネットワーク１０に接続されている。
【００２０】
次に、競売品配達方法を詳しく説明するとともに、併せてこの競売品配達システム１００の動作を説明する。
【００２１】
図４はネット上のサイトの画面を示す模式図であって、（ａ）はネットオークションお楽しみサイトを示す図、（ｂ）はダンボール箱注文サイトを示す図、図５はシステム管理用中央処理装置Ｈ２に格納されダンボール箱受注用のプログラムの概要を示すフローチャートである。
【００２２】
図１及び図２に示すように、本実施の形態の競売品配達方法では、ネットオークション用中央処理装置Ｈ１によって、ネットワーク１０上にネットオークションサイト２が立ち上げられ、そこでネットオークションが運営される。このネットオークションは周知であるので、その詳しい説明は省略する。また、システム管理用中央処理装置Ｈ２によって、ネットワーク１０上にダンボール箱注文サイトが立ち上げられる。また、Ｂ端末Ｔｂ１〜Ｔｂｎ及びＣ端末Ｔｃ１〜Ｔｃｎがネットワーク１０に常時接続される。
【００２３】
そして、売り手３及び買い手４は、Ａ端末Ｔａ１〜Ｔａｎにおいてブラウザを起動してネットオークション用中央処理装置Ｈ１にアクセスし、ネットオークションに参加する。
【００２４】
そして、売り手３が、Ａ端末Ｔａ１〜Ｔａｎにおいて、このネットオークションサイト２上で所要の操作を行うと、図４（ａ）に示すようなネットオークションお楽しみサイトの画面２０が表示される。この画面２０には、ダンボール箱注文サイトへの入り口２１が表示されており、この入り口２１をクリックすると、システム管理用中央処理装置Ｈ２のダンボール箱注文サイトへ飛ぶ（アクセスする）。このネットワーク１０上でサイト間を飛ぶ構成も周知であるので、その説明を省略する。
【００２５】
図５において、システム管理用中央処理装置Ｈ２は、アクセスがあると（ステップＳ１）、そのアクセスしたＡ端末Ｔａ１〜Ｔａｎに図４（ｂ）に示すようなダンボール箱注文サイトの画面３０を表示する。この画面３０には、ダンボール箱の品番、価格、及び注文数を表示する欄３１が設けられている。ダンボール箱は、本実施の形態では、３つの代表的サイズのものが揃えられ、各代表サイズ毎に品番が付されている。このダンボール箱の代表サイズ及びその数は、競売品のサイズの分布を予め調査しておき、できるだけ多くのサイズをカバーできるように決定される。
【００２６】
この画面３０において、売り手は、希望する品番をクリックしかつ注文数欄に個数を書き込む。すると、システム管理用中央処理装置Ｈ２は、クリックされた品番を選択された品番として受け取り、また、入力された個数を注文数として受け取る（ステップＳ３、Ｓ４）。次いで、氏名、ダンボール箱の届け先、及び電話番号の入力用画面を表示し（図示せず）、これらが入力されると、これらを受け取る（ステップＳ５、Ｓ６）。次いで、クレジットカード番号の入力用画面を表示する（図示せず）。ここで、システム管理センタ５（図１参照）は、各クレジット会社と提携しており、システム管理用中央処理装置Ｈ２のＨＤＤ１１０には各クレジット会社のクレジットカード番号が格納されている。そして、クレジットカード番号が入力されると、システム管理用中央処理装置Ｈ２はそのクレジットカード番号をＨＤＤ１１０に格納されたクレジットカード番号と照合する。そして、入力されたクレジットカード番号に一致するものがＨＤＤ１１０に格納されたクレジットカード番号中に存在しない場合には、「照合ＮＯ」をＡ端末Ｔａ１〜Ｔａｎに通知する（ステップＳ１１）。一方、入力されたクレジットカード番号に一致するものがＨＤＤ１１０に格納されたクレジットカード番号中に存在する場合は、前記ダンボール箱の品番、個数、氏名、箱の届け先、電話番号、及び受注した旨をＨＤＤ１１０に格納する。これによりダンボール箱の受注が登録される。なお、ダンボール箱の料金はこのクレジットカードにより決済される。従って、前払いであり、それにより、安易なキャンセルによる損失の発生を防止することができる。
【００２７】
次いで、Ａ端末Ｔａ１〜Ｔａｎからのアクセスが終了か否か判断し（ステップＳ１０）、アクセスが継続する場合はステップＳ１に戻り、アクセスが終了する場合は、この受注処理を終了する。
【００２８】
図１及び図２において、その後、システム管理用中央処理装置Ｈ２は、ＴＣＰ／ＩＰ通信プロトコルのプログラムを起動し、選択したダンボール箱業者６のＢ端末Ｔｂｎに受注したダンボール箱を用意するように指示し、かつ選択した宅配業者７のＣ端末Ｔｃｎに受注したダンボール箱を宅配するように指示する。このダンボール箱業者６への指示には、ダンボール箱の品番及び個数が含まれている。また、この宅配業者への指示には、注文主たる売り手３の氏名、箱の届け先、及び電話番号が含まれている。ここで、ＴＣＰ／ＩＰ通信プロトコルでは、通信情報を格納したパケットに相手コンピュータのＩＰアドレスを付してネットワーク１０上に送出することによりそのパケットを相手コンピュータに届けることができる。また、前記パケットに自己のＩＰアドレスを格納しておくことにより、相手コンピュータから返信を貰うことができる。このようにして２つのコンピュータ間で通信が行われる。また、ダンボール箱業者６及び宅配業者７は、例えば、ダンボール箱の届け先への近さ及び仕事の込み具合を考慮して選択される。
【００２９】
そして、ダンボール業者６は、指示された品番及び個数のダンボール箱を用意して荷造りする。この場合、ダンボール箱は新規に製造してもよく、また、既存品を流用してもよい。また、このダンボール箱には、ネットオークション主催者との提携によりそのロゴマークが印刷される。なお、ネットオークション主催者ではなく、特定企業のロゴマークを印刷してもよい。このようにすると、後述する競売品９の配達時にネットオークション主催者又はその特定企業の宣伝効果が発揮され、システム管理センタ５が広告収入を得ることができる。
【００３０】
また、宅配業者７では、Ｃ端末Ｔｃｎが、システム管理用中央処理装置Ｈ２から受け取った売り手３の氏名、箱の届け先、及び電話番号を送り状に印刷する。
【００３１】
図６は送り状の一例を示す模式図である。図６に示すように、この送り状３０１では、依頼主の記載欄３０２に、前記売り手３の氏名及び電話番号が依頼主の氏名及び電話番号として印刷され、また箱の届け先が依頼主の住所として印刷されている。これにより、売り手３が買い手４に競売品を送付すべく送り状に所要の事項を記載する際に、その手間が低減される。この送り状３０１は、注文されたダンボール箱の個数と同じ数だけ用意される。
【００３２】
そして、宅配業者７は、ダンボール箱業者６が荷造りした箱８を前記送り状３０１とともに売り手３に無料で配達する。
【００３３】
図７はダンボール箱の配達が無料になる原理を説明するための模式図である。図１及び図７において、売り手３は、一般に複数の競売品を出品する場合が多い。従って、売り手３が注文するダンボール箱８は一般に複数であり、また、売り手３が買い手４に送付する競売品９の荷物は複数である。一方、ダンボール箱７は、折りたたんだりあるいは大きな箱中に小さな箱を入れるなどして、複数の箱を１つの荷物にまとめることができる。従って、宅配業者７にしてみれば、１つのダンボール箱８の荷物を売り手３に配達することによって複数（図示例では４つ）の競売品９の荷物を獲得するチャンスがあることになる。もし、ほぼ確実に複数の競売品９の荷物を獲得できるのであれば、ダンボール箱８の１つの荷物の配達を無料にしても採算が合う可能性が高い。そこで、本実施の形態では、売り手３が、ダンボール箱８を配達した宅配業者を競売品９の配達に利用する誘引となるようダンボール箱８を無料で配達することとしている。また、依頼主記載欄の所要の事項が印刷された送り状３０１を添付している。これにより、売り手３は、配達料が無料でダンボール箱８を入手できた上に、送り状３０１への記載の手間が低減されるので、競売品９の配達を宅配業者７に依頼することになる。ここで、さらに、送り状３０１に割引券を添付するなどして、競売品９の配達を割り引くようにしてもよい。そのようにすると、さらに、確実に競売品９の荷物を獲得することができる。
【００３４】
そして、売り手３は、競売品９をダンボール箱８で包装し、送り状３０１に残りの所要の事項を記載して、その荷物の宅配を宅配業者７に依頼する。宅配業者７は、この競売品９を買い手４に配達する。
【００３５】
また、ダンボール業者６及び宅配業者７は、適宜、Ｂ端末Ｔｂ１〜Ｔｂｎ及びＣ端末Ｔｃ１〜ＴｃｎのＴＣＰ／ＩＰ通信プロトコルのプログラムを起動してシステム管理用中央処理装置Ｈ２に問い合わせることにより、ダンボール箱の受注状況をモニタする。これにより、システム管理用中央処理装置Ｈ２からの指示に迅速に対応することが可能となる。
【００３６】
このように、本発明は、一人の売り手３から買い手４に送付する競売品９の荷物が一般に複数である一方その包装用のダンボール箱８の荷物が１つであるという点に着目することにより、売り手３が競売品に合った所望のサイズのダンボール箱を無料配達で入手することを可能ならしめたものである。従来、ダンボール箱は、一般需要者向けには販売ルートすらほとんどなく、しかも、ダンボール箱は廉価なため配達すると配達料の方がむしろ高くつくことから、ダンボール箱を小口で配達することなど到底考えらなかったことである。従って、本発明が、従来例に比べて顕著な効果を奏することは明らかである。また、本発明の適用対象が競売品９であることから、ダンボール箱８の注文をネットオークションサイト２を介してのみ可能とすることにより、一般客を排除するとともにネットオークションの売り手３からのダンボール箱８の注文を効率よく受けることが可能になっている。従って、このこと及び上述のことから、本発明がその本質部分において自然法則を利用していることは明らかである。
【００３７】
なお、上記の説明では、売り手３から一人の買い手４に競売品９を配送しているが、複数の買い手４に配送しても構わない。
【００３８】
また、売り手３に配達するダンボール箱８は必ずしも１つの荷物にまとめられるものである必要はなく、競売品９の数より少ない数の荷物にまとめられればよい。
実施の形態２
本発明の実施の形態２では、図１に示すシステム管理センタ５が、図２に示すネット１０上に立ち上げるダンボール箱注文サイトを以下のように運営する。
【００３９】
すなわち、売り手３は、ダンボール箱注文サイトにおいて、さらに、買い手４の氏名、住所、電話番号、競売品配送料金の負担（元払い及び着払いの別）、落札日等を入力する。従って、本実施の形態では、売り手３は競売品の落札後にダンボール箱を注文する。一方、実施の形態１では、落札の前後を問わない。そして、前記入力があると、システム管理用中央処理装置Ｈ２は、売り手の住所と買い手４の住所に基づいて競売品９の割引後の配達料金（以下、割引配達料金という）を計算して、画面に表示する。この際、ダンボール箱の配達料金が無料である旨も表示される。これにより、売り手３が、前記ダンボール箱の無料配達及び競売品の割引配達に誘われて、競売品の配達を依頼する確立が高くなる。そして、売り手３がクレジットカード番号を入力し、その照合結果がＯＫであると、ダンボール箱の注文に加えて競売品の配達依頼が成立する。そして、システム管理用中央処理装置Ｈ２は、実施の形態１で述べたダンボール箱及び売り手に関する情報に加えて、上述の買い手及び競売品配達に関する情報を登録する。そして、これらの情報を、宅配指示とともに、選択した宅配業者７のＣ端末Ｔａｎに送信する。
【００４０】
すると、宅配業者７のＣ端末Ｔａｎが、依頼主及び届け先の双方の所要の事項を送り状に印刷する。宅配業者７は、この送り状をダンボール箱８の荷物とともに売り手２に配達する。これ以外の点は、実施の形態１と同様である。
【００４１】
このようにすると、売り手３が送り状に所要の事項を記載する手間を実質的に完全に省くことができる。
実施の形態３
図８は本発明の実施の形態３に係る競売品配達方法を示す模式図である。図８において図１と同一符号は同一又は相当する部分を示す。
【００４２】
図８に示すように、本実施の形態では、売り手３が、ネットオークションサイト２を介さずに直接システム管理センタ５のダンボール箱注文サイトにアクセスする。そして、売り手３は、競売品の落札前にダンボール箱を注文する。さらに、競売品が落札された後、競売品の買い手４への配達を依頼する。ここで、システム管理用中央処理装置Ｈ２は、ダンボール箱注文の際には図４（ｂ）に示す画面を表示し、競売品配達依頼の際にはそれ専用の画面（図示せず）を表示する。その他の点は実施の形態２と同様である。
【００４３】
このようにすると、ダンボール箱を早めに用意することができる。
【００４４】
なお、実施の形態１〜３では、クレジットカードで決済するようにしたが、これを銀行の所定口座への振込みで決済するようにしてもよい。
【００４５】
また、安易なキャンセルを防止するために、クレジットカード番号を入力することに代えて、売り手の認証を行うようにしてもよい。この場合、ダンボール箱代を配送業者が箱の配達時に回収するようにしてもよい。
【００４６】
【発明の効果】
本発明は、以上に説明したような形態で実施され、ネットオークションで落札された競売品を売り手から買い手に容易に届けることができるという効果を奏する。
【図面の簡単な説明】
【図１】本発明の実施の形態１に係る競売品配達方法を示す模式図である。
【図２】図１の競売品配達方法の一部のステップを実施するための競売品配達システムの構成を示す模式図である。
【図３】図２の中央処理装置及び端末の構成を示すブロック図である。
【図４】ネット上のサイトの画面を示す模式図であって、（ａ）はネットオークションお楽しみサイトを示す図、（ｂ）はダンボール箱注文サイトを示す図である。
【図５】システム管理用中央処理装置に格納されダンボール箱受注用のプログラムの概要を示すフローチャートである。
【図６】送り状の一例を示す模式図である。
【図７】ダンボール箱の配達が無料になる原理を説明するための模式図である。
【図８】本発明の実施の形態３に係る競売品配達方法を示す模式図である。
【符号の説明】
１　競売品配達方法
２　ネットオークションサイト
３　売り手
４　買い手
５　システム管理センタ
６　宅配業者
７　ダンボール箱業者
８　ダンボール箱
９　競売品
１０　ネットワーク
２０　ネットオークションお楽しみサイト画面
２１　ダンボール箱注文サイトへの入り口
３０　ダンボール箱注文サイト画面
３１　品番等表示欄
１００　競売品配達システム
１０３　信号変換装置
１０４　ＣＰＵ
１０５　メモリ
１０６　ＲＯＭ
１０７　ＲＡＭ
１０８　入力装置
１０９　出力装置
１１０　ＨＤＤ
１１１　外部記憶装置
３０１　送り状
３０２　依頼主情報記載欄
Ｈ１　ネットオークション用中央処理装置
Ｈ２　システム管理用中央処理装置
Ｔａ１〜Ｔａｎ　Ａ端末
Ｔｂ１〜Ｔｂｎ　Ｂ端末
Ｔｃ１〜Ｔｃｎ　Ｃ端末
【図１】
2004013212.tif 000003
【図２】
2004013212.tif 000004
【図３】
2004013212.tif 000005
【図４】
2004013212.tif 000006
【図５】
2004013212.tif 000007
【図６】
2004013212.tif 000008
【図７】
2004013212.tif 000009
【図８】
2004013212.tif 000010